(57)【要約】【課題】既に入力した設定項目の値が、画像形成装置の動作に用いられる前にリセット動作により消去された場合、その後の入力操作の再開時に、当該入力済みの設定項目の値を復旧する。【解決手段】制御部４１は、リセット動作を開始させるとき、この時点で値が入力されている設定項目の数が予め設定された閾値以上であると判定した場合は（Ｓ３０２でＹＥＳ）、この時点でＲＡＭ４４に記憶されている各設定項目の値を記憶装置３８にセーブした上でリセット動作を行わせ（Ｓ３０４，Ｓ３０５）、上記値が入力されている設定項目の数が閾値未満であると判定した場合は（Ｓ３０２でＮＯ）、リセット動作を行わせて（Ｓ３０５）、この時点で入力されている各設定項目の値を消去する。【選択図】図１５
2018144446.tif 000002
【特許請求の範囲】
【請求項１】
画像形成装置であって、
前記画像形成装置の動作についての複数の設定項目を表示する表示部と、
前記各設定項目の値を入力する指示が入力される操作部と、
前記操作部に入力された前記各設定項目の値を保存する記憶部と、
予め定められた条件が満たされたときに、前記画像形成装置に予め定められたリセット動作を行わせる制御部とを備え、
前記制御部は、前記操作部に前記各設定項目の値が入力されている状態で、前記画像形成装置に前記リセット動作を開始させるとき、この時点で前記操作部に前記値が入力されている前記設定項目の数が予め設定された閾値以上になっているか否かを判定し、前記設定項目の数が前記閾値以上であると判定した場合は、この時点で前記操作部に入力されて前記記憶部に記憶されている前記各設定項目の値を保持させた上で前記リセット動作を行わせ、前記設定項目の数が前記閾値未満であると判定した場合は、前記リセット動作を行わせ、この時点で前記操作部に入力されて前記記憶部に記憶されている前記各設定項目の値を消去する画像形成装置。
【請求項２】
前記制御部は、前記操作部に前記値が入力された前記設定項目の数が前記閾値未満であると判定した場合に、前記記憶部に保存されている前記設定項目の値を保持させる指示が、前記操作部に入力されたときは、この時点で前記操作部に入力されて前記記憶部に記憶されている前記各設定項目の値を保持させた上で前記リセット動作を行わせる請求項１に記載の画像形成装置。
【請求項３】
前記制御部は、前記リセット動作の実行指示が入力されたことを、前記予め定められた条件として、前記リセット動作を行わせる請求項１又は請求項２に記載の画像形成装置。
【請求項４】
前記制御部は、予め設定された待機時間の間、前記操作部に何らの指示も入力されないことを、前記予め定められた条件として、前記リセット動作を行わせる請求項１又は請求項２に記載の画像形成装置。
【請求項５】
前記制御部は、前記操作部に入力される待機時間変更指示に従って前記待機時間を変更し、前記待機時間を長くするに従って、前記閾値を大きく設定する請求項４に記載の画像形成装置。
【請求項６】
前記制御部は、前記リセット動作の完了後に、前記操作部により前記各設定項目の値を入力する操作が再度可能となったとき、前回の操作で途中まで入力を終えていた前記各設定項目の値が前記記憶部に保持されていることを示す報知メッセージを表示させる請求項１乃至請求項５のいずれかに記載の画像形成装置。
【請求項７】
前記制御部は、前記報知メッセージを前記表示部に表示させるか否かを、前記操作部に入力される指示に従って切り換える請求項６に記載の画像形成装置。
【請求項８】
前記設定項目は、前記画像形成装置のコピー動作に関するものである請求項１乃至請求項７のいずれかに記載の画像形成装置。
【請求項９】
前記設定項目は、前記画像形成装置のファクシミリ動作に関する請求項１乃至請求項７のいずれかに記載の画像形成装置。
【発明の詳細な説明】
【技術分野】
【０００１】
本発明は、画像形成装置に関し、特に、画像形成装置の動作内容を特定する複数の設定項目の値を入力する際の技術に関する。
【背景技術】
【０００２】
画像形成装置では、例えばコピー動作に関して、画像の印刷濃度、画像の拡大縮小率、記録紙のサイズなどの複数の設定項目の値がデフォルトで設定されている。そして、ユーザーによるこれらの複数の設定項目の値の変更が可能とされている。
【０００３】
しかしながら、画像形成装置の動作について、ユーザーが多くの設定項目の値を順次変更する作業中に、これらの設定項目の値が不用意に消去されることがある。例えば、ユーザーの誤操作により各設定項目の値を消去させる指示が入力される、或いは、ユーザーによる操作が中断された期間が規定の時間に達して装置が省エネモード等に切り換わり、このときに設定項目の入力を受け付けているシステムが動作停止して、既に入力された各設定項目の値が消去されることがある。
【０００４】
このため、特許文献１では、入力部の操作により入力された画像形成条件を保持部に保持させると共に、その画像形成条件を記憶部にも記憶させておく技術が提案されている。この技術では、操作が所定時間中断して、保持部に保持された画像形成条件をリセット動作させたときは、当該リセット動作後に、記憶部に記憶された画像形成条件が保持部に再度書き込まれるようにしている。
【０００５】
また、特許文献２では、ユーザーが画像処理について機能項目の設定情報を入力すると、この設定情報を、ユーザーが意図しなくとも記憶手段に記憶させている技術が開示されている。
【０００６】
また、特許文献３では、操作部の操作により画像データの処理設定が入力されると、この処理設定が一定の保存条件を満たすか否かを判定して、この保存条件を満たした処理設定を記憶部に記憶させる技術が開示されている。この技術では、例えば、保存条件として所定の閾値を設定しており、ジョブのためになされた操作に関するデータ数が閾値を超えたときに、そのジョブに含まれる一連の操作内容を記憶部に履歴として記憶させている。
【先行技術文献】
【特許文献】
【０００７】
【特許文献１】特開２００５−７４６９１号公報
【特許文献２】特開２００５−２１２１３７号公報
【特許文献３】特開２００５−３４７９０４号公報
【発明の概要】
【発明が解決しようとする課題】
【０００８】
ここで、ユーザーが、画像形成装置の例えば上記コピー動作について、多くの設定項目の値を入力している最中にリセット動作が行われ、既に入力を終えている多くの設定項目の値がコピー動作の実行前に消去されると、ユーザーは、リセット動作後に、既に入力した多くの設定項目の値を再度入力しなければならず、操作が面倒である。その一方、操作者が少数の設定項目しか入力していないうちにリセット動作がされた場合は、リセット動作後に行う再度の入力は、さほど面倒な操作ではない。従って、既に入力を終えた設定項目の数に応じて、当該入力を終えた設定項目の値を、リセット動作後に復帰させるか否かを切り換え可能にすることが求められる。
【０００９】
しかしながら、特許文献１及び特許文献２に記載の技術は、既に入力を終えた設定項目の数に拘わらず、入力を終えた設定項目の値を復帰させるものであるため、入力を終えた設定項目の数に応じて、当該入力を終えた設定項目をリセット動作後に復帰させるか否かを切り換えるものではない。
【００１０】
また、特許文献３に記載の技術は、ジョブに含まれるデータ数が閾値を超えたときに、そのジョブに含まれる一連の操作内容を単に履歴として記憶部に記憶させているだけであり、当該入力を終えた設定項目を、リセット動作後に設定項目の値として復帰させるものではない。
【００１１】
また、特許文献３に記載の技術は、ジョブに含まれるデータ数が閾値を超えた場合に操作内容の履歴を記憶しておくものに過ぎないため、ここからは、既に入力を終えた設定項目の数に応じて、当該入力を終えた設定項目をリセット動作後に復帰させるか否かを切り換える、という発想を案出することまでは困難である。
【００１２】
本発明は、上記の事情に鑑みなされたものであり、既に入力した設定項目の値が、画像形成装置の動作に用いられる前にリセット動作により消去された場合に、当該値が入力済みの設定項目の数に応じて、その後の入力操作の再開時に、当該既に入力済みの設定項目の値を、上記動作に用いる設定項目の値として引き続き利用可能な状態にするか否かを切り換え可能にすることを目的とする。
【課題を解決するための手段】
【００１３】
本発明の一局面にかかる画像形成装置は、画像形成装置であって、前記画像形成装置の動作についての複数の設定項目を表示する表示部と、前記各設定項目の値を入力する指示が入力される操作部と、前記操作部に入力された前記各設定項目の値を保存する記憶部と、予め定められた条件が満たされたときに、前記画像形成装置に予め定められたリセット動作を行わせる制御部とを備え、前記制御部は、前記操作部に前記各設定項目の値が入力されている状態で、前記画像形成装置に前記リセット動作を開始させるとき、この時点で前記操作部に前記値が入力されている前記設定項目の数が予め設定された閾値以上になっているか否かを判定し、前記設定項目の数が前記閾値以上であると判定した場合は、この時点で前記操作部に入力されて前記記憶部に記憶されている前記各設定項目の値を保持させた上で前記リセット動作を行わせ、前記設定項目の数が前記閾値未満であると判定した場合は、前記リセット動作を行わせ、この時点で前記操作部に入力されて前記記憶部に記憶されている前記各設定項目の値を消去するものである。
【発明の効果】
【００１４】
本発明によれば、既に入力した設定項目の値が、画像形成装置の動作に用いられる前にリセット動作により消去された場合に、当該値が入力済みの設定項目の数に応じて、その後の入力操作の再開時に、当該既に入力済みの設定項目の値を、上記動作に用いる設定項目の値として引き続き利用可能な状態にするか否かを切り換えることが可能である。
【図面の簡単な説明】
【００１５】
【図１】本発明の一実施形態にかかる画像形成装置を示す断面図である。
【図２】本実施形態の画像形成装置の主要内部構成を示すブロック図である。
【図３】セーブ処理に用いる閾値、セーブ処理を行うか否か、及び、セーブ処理により保存されている値の存在をユーザーに報知するか否か、を設定する処理を示すフローチャートである。
【図４】表示部に表示される初期画面の一例を示す図である。
【図５】セーブ処理の内容を設定するための設定画面の一例を示す図である。
【図６】閾値設定画面の一例を示す図である。
【図７】セーブ処理を実行するか否かを設定するための設定画面の一例を示す図である。
【図８】ポップアップ画面の表示又は非表示を設定するための設定画面の一例を示す図である。
【図９】機能テーブルの一例を示す図である。
【図１０】画像形成装置の動作の内容を特定するために用いられる設定項目の値を設定する処理を示すフローチャートである。
【図１１】報知メッセージを示すポップアップ画面の一例を示す図である。
【図１２】設定項目テーブルの一例を示す図である。
【図１３】コピー機能に係る各設定項目の値を設定するための設定画面の一例を示す図である。
【図１４】表示部に表示されたカラー又はモノクロを設定するためのポップアップ画面の一例を示す図である。
【図１５】画像形成装置１０がリセット動作される際の処理を示すフローチャートである。
【図１６】設定項目の値をセーブするか否かの選択をユーザーに促すポップアップ画面の一例を示す図である。
【発明を実施するための形態】
【００１６】
以下、本発明の一実施形態について図面を参照して説明する。
【００１７】
図１は、本発明の画像形成装置の一実施形態を示す断面図である。この画像形成装置１０は、例えば、コピー機能、プリンター機能、スキャナー機能、及びファクシミリ機能のような複数の機能を兼ね備えたＭＦＰ（複合機）である。この画像形成装置１０は、画像読取部１１と、画像形成部１２とを備えている。
【００１８】
画像読取部１１は、原稿を光学的に読み取るスキャナーを有し、この原稿の画像を示す画像データを生成する。
【００１９】
画像形成部１２は、画像読取部１１で生成された画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、１次転写ローラー６により中間転写ベルト５に転写する。これにより、カラーのトナー像（画像）が中間転写ベルト５上に形成される。このカラーのトナー像は、中間転写ベルト５と２次転写ローラー９の間のニップ域Ｎにおいて給紙部７から搬送路８を通じて搬送されてきた記録紙Ｐに２次転写される。
【００２０】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００２１】
図２は、画像形成装置１０の主要内部構成を示す機能ブロック図である。図２に示すように画像形成装置１０は、制御ユニット３１、表示部３２、操作部３４、タッチパネル３５、ネットワーク（ＮＷ）通信部３６、ファクシミリ通信部３７、記憶装置３８、画像読取部１１、及び画像形成部１２などを備えている。これらの構成要素は、互いにバスを通じてデータ又は信号の送受信を可能とされている。
【００２２】
表示部３２は、液晶ディスプレイ（ＬＣＤ：Liquid Crystal Display）や有機ＥＬ（ＯＬＥＤ：Organic Light-Emitting Diode）ディスプレイなどから構成される。
【００２３】
操作部３４は、例えば、表示部３２の初期画面を呼び出すメニューキー、初期画面を構成するＧＵＩにおけるフォーカスを移動させる矢印キー、ＧＵＩに対して確定操作を行う決定キー、スタートキーなどを備えている。
【００２４】
表示部３２の画面には、タッチパネル３５が重ねられている。タッチパネル３５は、所謂抵抗膜方式や静電容量方式などのタッチパネルであって、タッチパネル３５に対するユーザーの指などの接触（タッチ）をその接触位置と共に検知し、表示部３２の画面上のＧＵＩなどに対するユーザーの指示を入力する。従って、タッチパネル３５は、表示部３２の画面に対するユーザー操作が入力される操作部３４の一部としての役割を果たす。すなわち、操作部３４には、表示部３２の画面を介して、各設定項目の値を入力する指示が入力される。
【００２５】
ネットワーク通信部３６は、ネットワークＮＷを通じて他の端末装置（図示せず）との間で各種のデータを送受信する。ファクシミリ通信部３７は、画像データを、ネットワークＮＷを通じて他の画像形成装置やファクシミリ装置（図示せず）などとの間で送受信する。
【００２６】
記憶装置３８は、大容量のＳＳＤ（Solid State Drive）、ＨＤＤ（Hard Disk Drive）などからなり、各種のデータやプログラムを記憶している。
【００２７】
制御ユニット３１は、プロセッサー、ＲＡＭ(Random Access Memory）４４、及びＲＯＭ（Read Only Memory）４５などから構成される。プロセッサーは、ＣＰＵ（Central Processing Unit）、ＭＰＵ、ＡＳＩＣ等である。この制御ユニット３１は、ＲＯＭ４５又は記憶装置３８に記憶されているプログラムが上記のプロセッサーで実行されることにより、制御部４１として機能する。なお、制御ユニット３１の上記の各構成は、プログラムに基づく動作によらず、それぞれハード回路により構成されてもよい。
【００２８】
制御部４１は、画像形成装置１０の全体的な動作制御を司る。制御部４１は、表示部３２を制御して、上記ＧＵＩ、あるいは各種の情報などを表示部３２に表示させる。更に、制御部４１は、ネットワーク通信部３６及びファクシミリ通信部３７の通信動作を制御する機能を有する。
【００２９】
ＲＡＭ４４は、制御部４１によりその処理動作時に必要なデータを書き込むための作業領域として用いられる。ＲＡＭ４４及び上記の記憶装置３８は、特許請求の範囲における記憶部の一例である。
【００３０】
画像形成装置１０は、ユーザーによる操作部３４及びタッチパネル３５の操作に基づいて、ファクシミリ通信機能、コピー機能、プリンター機能、及びスキャナー機能のいずれかの選択を受け付け、選択された機能についてのジョブを実行する。
【００３１】
例えば、ユーザーが、操作部３４の操作により、コピー機能を選択して、このコピー機能を利用したコピー動作についてのジョブの実行を指示すると、制御部４１は、画像読取部１１により原稿の画像を読取らせ、画像形成部１２により原稿の画像を記録紙に印刷させる。同様に、ファクシミリ通信機能についても、ユーザーが、操作部３４の操作によりファクシミリ機能を選択してファクシミリ動作についてのジョブの実行を指示すると、制御部４１は、ファクシミリ動作についてのジョブを実行する。
【００３２】
また、画像形成装置１０においては、画像形成装置１０の動作、例えばコピー動作の場合、当該コピー動作に関して、印刷濃度、拡大縮小率、記録紙のサイズなどの複数の設定項目の値がデフォルトで設定されていて、デフォルトの値が記憶装置３８に保存されている。コピー動作の実行の前におけるユーザーによる操作部３４の操作で入力される指示に従って、制御部４１が、記憶装置３８に記憶されている各設定項目のデフォルトの値を呼び出し、当該コピー動作についての設定項目としてＲＡＭ４４に書き込む。
【００３３】
このとき、制御部４１は、ユーザーによる操作部３４の操作で入力される指示に従って、ＲＡＭ４４に書き込まれた上記各設定項目の値を変更する。例えば、ユーザーが操作部３４を操作して、記録紙の枚数及びサイズを変更する指示を入力すると、制御部４１は、ＲＡＭ４４に記憶されている各設定項目の値のうち、記録紙の枚数及びサイズを上記指示が示す値に変更する。そして、制御部４１は、ユーザーによる操作部３４の操作で、この時点でＲＡＭ４４に記憶されている各設定項目の値でコピー動作を実行する動作実行指示が入力されると、この時点でＲＡＭ４４に記憶されている各設定項目の値に従って、画像形成部１２により原稿の画像を記録紙に印刷させる。これにより、原稿の画像が、ユーザーにより指示された内容で記録紙に印刷される。なお、本実施形態では、コピー動作を例にして説明するが、画像形成装置１０による他の動作、例えばファクシミリ動作等についても、設定項目の値の入力や、入力された値を用いての動作実行は、同様にして行われる。
【００３４】
ここで、一般的な画像形成装置では、ユーザーが多くの設定項目についてその値を順次変更している最中に、各設定項目の値が、不用意にＲＡＭ４４から消去されることがある。例えば、ユーザーが、設定項目の入力中に、動作実行指示を入力する前に、操作部のリセットキーを誤操作してしまうと、リセット動作の実行指示が入力され、当該リセット動作の実行により、この時点でＲＡＭ４４に一時的に記憶されている各設定項目の値が消去される。
【００３５】
あるいは、ユーザーによる操作部３４の操作が中断して、この中断の期間が予め定められた一定時間に達したときに、画像形成装置１０が省エネモードに移行すると、制御部４１は、上記リセット動作を実行して、この時点でＲＡＭ４４に一時的に記憶されている各設定項目の値を消去する。一般的な画像形成装置では、このように消去された各設定項目の値は、次回設定項目の入力作業が再開されても復活できないものが多い。
【００３６】
なお、リセット動作とは、ＲＡＭ４４に一時的に記憶されている設定項目の値を消去させる処理を含む、画像形成装置１０の動作を特定するために入力されて一時的に記憶されている設定値を初期化する動作である。
【００３７】
これに対して、本実施形態に係る画像形成装置１０では、制御部４１が、リセット動作の開始時に、この時点で操作部３４の操作によりユーザーが設定項目の値の入力を終えてＲＡＭ４４に一時的に当該値が記憶されている設定項目の数が予め設定された閾値以上であると判断した場合、当該各設定項目の値を記憶装置３８に記憶させてセーブしてから、当該リセット動作を実行する。
【００３８】
また、制御部４１は、リセット動作の開始時に、ユーザーが値の入力を終えて一時的にＲＡＭ４４に当該値が記憶されている設定項目の数が上記閾値未満であると判断した場合は、当該リセット動作により、又は当該リセット動作の実行に伴って、この時点でユーザーが値の入力を終えてＲＡＭ４４に記憶されている各設定項目の値を消去させる。このため、本実施形態では、複数の設定項目の入力が、入力した各設定項目に基づく動作が実行される前にリセット動作により不用意に中断されても、既に値の入力を終えた設定項目の数が上記閾値以上であることを条件に、次回設定項目を入力する作業を行う際に、各設定項目の値をＲＡＭ４４に復旧される。
【００３９】
なお、画像形成装置１０において、リセット動作は、予め定められた条件が満たされたときに制御部４１による制御の下で実行される。当該予め定められた条件は、例えば、(i)ユーザーが操作部のリセットキーを操作してリセット動作実行指示を入力したとき、(ii)ユーザーによる操作部３４の操作が中断して、この中断の期間が予め定められた一定時間に達し、制御部４１が画像形成装置１０を省エネモードに移行させたとき、等である。
【００４０】
次に、画像形成装置１０において設定項目の入力作業が中断されたときに、それまでに入力した設定項目の値をセーブしておくセーブ処理について説明する。
【００４１】
まず、セーブ処理に用いる閾値、セーブ処理を行うか否か、及び、セーブ処理により保存されている値の存在をユーザーに報知するか否か、を設定する処理について説明する。図３は当該処理を示すフローチャートである。
【００４２】
制御部４１は、画像形成装置１０の表示部３２に、それぞれの機能に対応付けられた複数のタッチキー６１Ａ〜６１Ｈ等を配列した初期画面Ｇ０（図４）を表示させる。このとき、ユーザーが、上記の「セーブ処理」を示すセーブキー６１Ｈをタッチ操作すると、制御部４１は、タッチパネル３５を通じて、当該タッチ操作を、セーブ処理を実行するためのアプリケーションプログラムを起動する指示として受け付け、当該アプリケーションプログラムを起動させて実行する（Ｓ１０１）。以下に示す制御部４１による各処理は、当該アプリケーションに従って実行される。
【００４３】
続いて、制御部４１は、図５に例を示す、セーブ処理の内容を設定するための設定画面Ｇ１を表示部３２に表示させる（Ｓ１０２）。制御部４１は、セーブ処理の設定画面Ｇ１に、閾値設定キーＫ１、セーブ処理切り換えモード設定キーＫ２、ポップアップ画面設定キーＫ３、及びキャンセルキーＫ４を表示させる。
【００４４】
ユーザーによる閾値設定キーＫ１へのタッチ操作を、タッチパネル３５を通じて制御部４１が受け付けると（Ｓ１０３で「閾値」）、制御部４１は、図６に例を示す閾値を設定するための閾値設定画面Ｇ２を表示部３２に表示させる（Ｓ１０４）。制御部４１は、当該閾値設定画面Ｇ２に、閾値設定欄Ｂ１、プラスキーＫ１１、マイナスキーＫ１２、ＯＫキーＫ１３、及びキャンセルキーＫ１４を表示させる。
【００４５】
ここでは、制御部４１は、閾値Ｈとしてデフォルトの数値「３」を記憶装置３８に記憶させているものとする。制御部４１は、閾値設定欄Ｂ１に、デフォルトの数値「３」を表示させる。制御部４１は、閾値Ｈを、ユーザーが値を入力した設定項目の数との比較に用いる（詳細は後述）。
【００４６】
そして、制御部４１は、タッチパネル３５を介して、ユーザーによるプラスキーＫ１１又はマイナスキーＫ１２のタッチ操作を受け付けると、プラスキーＫ１１の操作に従って閾値Ｈを増大させる指示を受け付け、マイナスキーＫ１２の操作に従って閾値Ｈを減少させる指示を受け付ける。制御部４１は、当該指示に従って閾値Ｈを増大又は減少させ、当該増大又は減少させた閾値Ｈを閾値設定欄Ｂ１に表示させる（Ｓ１０５）。
【００４７】
この後、制御部４１は、ユーザーによるＯＫキーＫ１３に対するタッチ操作を、タッチパネル３５を通じて受け付けると（Ｓ１０６「ＯＫ」）、この時点で閾値設定欄Ｂ１に表示させている閾値Ｈに、記憶装置３８内の機能テーブルＢＤＴに記憶されている閾値Ｈを書き換える（Ｓ１０７）。一方、制御部４１は、キャンセルキーＫ１４に対するタッチ操作を、タッチパネル３５を通じて受け付けた場合には（Ｓ１０６で「キャンセル」）、この時点で記憶装置３８内の機能テーブルＢＤＴに記憶されている閾値Ｈをそのまま維持する（Ｓ１０８）。
【００４８】
また、Ｓ１０３において、制御部４１が、設定画面Ｇ１におけるセーブ処理切り換え設定キーＫ２へのタッチ操作を、タッチパネル３５を通じて受け付けた場合は（Ｓ１０３で「セーブ」）、図７に示すような、セーブ処理を実行するか否かを設定するための設定画面Ｇ３を表示部３２に表示させる（Ｓ１０９）。制御部４１は、当該設定画面Ｇ３に、一時的保存キーＫ２１、継続的保存キーＫ２２、ＯＫキーＫ２３、及びキャンセルキーＫ２４を表示させる。
【００４９】
一時的保存キーＫ２１は、セーブ処理を実行しない旨の指示を受け付けるためのキーである。ここでの「一時的保存」とは、画像形成装置１０の動作の設定項目の値を操作部３４の操作によりユーザーが入力したとき、当該入力された設定項目の値が、このときに入力可能とされている各設定項目の値に基づいた動作が実行されるまでの一時的な期間だけＲＡＭ４４に記憶されることを示す。
【００５０】
継続的保存キーＫ２２は、セーブ処理を実行する旨の指示を受け付けるためのキーである。ここでの「継続的保存」とは、画像形成装置１０の動作の設定項目の値を操作部３４の操作によりユーザーが入力したとき、当該入力された設定項目の値が、このときに入力可能とされている各設定項目の値に基づいた動作が実行されるまでに、制御部４１が画像形成装置１０に上記リセット動作を行わせる場合であっても、制御部４１により、当該入力された設定項目の値が、記憶装置３８に記憶されてセーブされることを示す。
【００５１】
ここで、制御部４１は、タッチパネル３５を通じて、ユーザーによる一時的保存キーＫ２１及びＯＫキーＫ２３への順次のタッチ操作により、セーブ処理を実行しない指示を受け付けると（Ｓ１１０で「セーブ処理なし」）、セーブ処理を実行しない旨を記憶装置３８の機能テーブルＢＤＴに記憶させる（Ｓ１１１）。
【００５２】
また、制御部４１は、ユーザーによる継続的保存キーＫ２２及びＯＫキーＫ２３への順次のタッチ操作により、セーブ処理を実行する指示を受け付けた場合（Ｓ１１０で「セーブ処理あり」）、セーブ処理を実行する旨を記憶装置３８内の機能テーブルＢＤＴに記憶させる（Ｓ１１２）。なお、制御部４１は、機能テーブルＢＤＴには、セーブ処理する旨を、デフォルトとして記憶させている。
【００５３】
また、制御部４１は、タッチパネル３５を通じて、ユーザーによるポップアップ画面設定キーＫ３へのタッチ操作受け付けると（Ｓ１０３で「ポップアップ画面設定」）、図８に示すような、ポップアップ画面の表示又は非表示を設定するための設定画面Ｇ４を表示部３２に表示させる（Ｓ１１３）。制御部４１は、当該設定画面Ｇ４に、オンキーＫ３１、オフキーＫ３２、ＯＫキーＫ３３、及びキャンセルキーＫ３４を表示させている。オンキーＫ３１は、ポップアップ画面を表示させる表示指示を受け付けるためのキーである。また、オフキーＫ３２は、ポップアップ画面を表示させない非表示指示を受け付けるためのキーである。
【００５４】
ここで、制御部４１が、タッチパネル３５を通じて、ユーザーによるオンキーＫ３１及びＯＫキーＫ３３への順次のタッチ操作を受け付けた場合（Ｓ１１４で「表示」）、制御部４１は、上記表示指示を受け付け、ポップアップ画面を表示させる制御を行う旨を記憶装置３８内の機能テーブルＢＤＴに記憶させる（Ｓ１１５）。また、制御部４１が、タッチパネル３５を通じて、ユーザーによるオフキーＫ３２及びＯＫキーＫ３３への順次のタッチ操作を受け付けた場合は（Ｓ１１４で「非表示」）、制御部４１は、上記非表示指示を受け付け、ポップアップ画面を表示させる制御を行わない旨を、記憶装置３８内の機能テーブルＢＤＴに記憶させる（Ｓ１１６）。なお、制御部４１は、機能テーブルＢＤＴにおいては、ポップアップ画面を表示させる制御を行う旨を、デフォルトとして記憶させている。
【００５５】
記憶装置３８内の機能テーブルＢＤＴの例を図９に示す。図９に示すように、機能テーブルＢＤＴにおいては、制御部４１により、閾値Ｈの値（この例では「３」）と、セーブ処理を実行するか否かの設定と、ポップアップ画面を表示するか否かの設定とが記憶されている。
【００５６】
以上の処理により、画像形成装置１０に、セーブ処理に用いる閾値、セーブ処理を行うか否か、及び、セーブ処理により保存されている値の存在をユーザーに報知するか否かが設定される。制御部４１は、当該設定の内容に従って、後述するセーブ処理を実行する。
【００５７】
次に、画像形成装置１０の動作について、当該動作の内容を特定するために用いられる設定項目の値を設定する処理を説明する。図１０は当該処理を示すフローチャートである。
【００５８】
例えば画像形成装置１０にユーザーがコピー動作を行わせるときを例にして説明する。制御部４１は、ユーザーにより操作部３４に入力されたコピー動作の実行指示に従って、コピー動作についての前回の設定項目の入力時に、値がセーブされていた設定項目が記憶装置３８にあるかを判断する（Ｓ２０１）。
【００５９】
制御部４１は、前回の設定項目の入力時に、値がセーブされていた設定項目が記憶装置３８にないと判断した場合（Ｓ２０１でＮＯ）、コピー動作の内容を特定する各設定項目について、そのデフォルトの値を記憶装置３８内の設定項目テーブルＣＰＤＴから読み出してＲＡＭ４４に書き込む（Ｓ２０２）。
【００６０】
一方、制御部４１は、前回の設定項目の入力時に、値がセーブされていた設定項目が記憶装置３８にあると判断した場合（Ｓ２０１でＹＥＳ）、図１１に例を示すような、前回の操作で途中まで入力を終えていた各設定項目の値が保持されていることを示す報知メッセージを示すポップアップ画面Ｐ３を表示部３２に表示させる（Ｓ２０３）。なお、制御部４１は、記憶装置３８内の機能テーブルＢＤＴに、ポップアップ画面を表示させる制御を行う旨が記憶されていることを条件として、当該ポップアップ画面Ｐ３を表示部３２に表示させる。制御部４１は、記憶装置３８内の機能テーブルＢＤＴに、ポップアップ画面を表示させる制御を行わない旨が記憶されている場合は、Ｓ２０３におけるポップアップ画面Ｐ３の表示処理は行わないものとする。
【００６１】
制御部４１は、このポップアップ画面Ｐ３に、前回の設定項目入力時にセーブされていた各設定項目の値を設定するか（今回も用いるか）、又は各設定項目の値にデフォルトの値を用いるか、について回答の入力を促すメッセージを併せて表示させる。更に、制御部４１は、ポップアップ画面Ｐ３に、「デフォルト値を設定」キーＫ５１及び「前回のセーブ内容を設定」キーＫ５２を表示させる。
【００６２】
ここで、制御部４１は、タッチパネル３５を介して、ユーザーによる「デフォルト値を設定」キーＫ５１へのタッチ操作を受け付けた場合（Ｓ２０４で「デフォルト値を設定」）、記憶装置３８に記憶されている各設定項目についてのデフォルトの値をＲＡＭ４４に書き込む（Ｓ２０２）。
【００６３】
コピー機能に係る各設定項目のデフォルトの値が保存されている記憶装置３８内の設定項目テーブルＣＰＤＴの例を図１２に示す。この設定項目テーブルＣＰＤＴにおいては、各設定項目として「用紙サイズ」、「濃度」、「カラー又はモノクロ」、及び「縮小／拡大」などが設定され、各設定項目のデフォルトの値として、例えば「Ａ４」、「普通」、「モノクロ」、「１００％」などが保存されている。
【００６４】
また、制御部４１は、タッチパネル３５を介して、ユーザーによる「前回のセーブ内容を設定」キーＫ５２へのタッチ操作を受け付けた場合（Ｓ２０４で「「前回のセーブ内容を設定」）、記憶装置３８に記憶されている前回の設定項目入力時にセーブされていた各設定項目の値をＲＡＭ４４に書き込む（Ｓ２０５）。
【００６５】
Ｓ２０２又はＳ２０５の後、制御部４１は、図１３に例を示すような、コピー機能に係る各設定項目の値を設定するための設定画面ＧＡを表示部３２に表示させる（Ｓ２０６）。制御部４１は、設定画面ＧＡに、用紙サイズの設定項目キーＫ４１、濃度の設定項目キーＫ４２、カラー又はモノクロの設定項目キーＫ４３、及び縮小／拡大の設定項目キーＫ４４などを表示させる。
【００６６】
また、制御部４１は、設定画面ＧＡにおいて、各設定項目キーＫ４１、Ｋ４２、…の右側には、スクロールバー６２を配置して表示させる。ユーザーが、スクロールバー６２をタッチ操作して上下に移動させる操作を行うと、制御部４１が、タッチパネル３５を介して、スクロールバー６２のタッチ操作を受け付け、各設定項目キーＫ４１、Ｋ４２、…をスクロール表示させる。これにより、ユーザーによる全ての設定項目キーＫ４１、Ｋ４２、…の確認を可能にする。これらの設定項目キーＫ４１、Ｋ４２、…は、コピー機能に係る各設定項目に対応している。
【００６７】
ここで、ユーザーが上記設定画面ＧＡにおけるコピー動作実行キーＫ４８をタッチ操作し、この操作がタッチパネル３５を介して、制御部４１に受け付けられると（Ｓ２０７で「動作実行」）、制御部４１は、この時点で入力されている各設定項目の値に従って、画像形成部１２等にコピー動作を行わせる（Ｓ２１５）。
【００６８】
また、ユーザーが設定画面ＧＡにおけるいずれかの設定項目キーをタッチ操作し、この操作がタッチパネル３５を介して、制御部４１に受け付けられると（Ｓ２０７で「設定項目」）、制御部４１は、操作された設定項目キーに対応する設定項目の値を設定するためのポップアップ画面を、表示部３２に表示させる（Ｓ２０８）。
【００６９】
例えば、カラー又はモノクロの設定項目キーＫ４３がタッチ操作された場合、制御部４１は、図１４に例を示すような、カラー又はモノクロを設定するためのポップアップ画面Ｐ４を表示部３２に表示させる。制御部４１は、ポップアップ画面Ｐ４に、カラーキーＫ５３及びモノクロキーＫ５４を表示させる。
【００７０】
このとき、ユーザーがカラーキーＫ５３又はモノクロキーＫ５４をタッチ操作し、タッチパネル３５を介して、制御部４１によりカラーキーＫ５３又はモノクロキーＫ５４のタッチ操作が受け付けられると、制御部４１は、ＲＡＭ４４の保存されている当該設定項目の値、すなわち設定項目「カラー又はモノクロ」の内容を「カラー」又は「モノクロ」に設定する（Ｓ２０９）。この後、処理は、Ｓ２０７の処理に戻る。
【００７１】
Ｓ２０７〜Ｓ２０９の処理が繰り返され、ユーザーによる他の設定項目についての値の入力が終了し、ユーザーによるコピー動作実行キーＫ４８へのタッチ操作が制御部４１に受け付けられると（Ｓ２０７で「動作実行」）、制御部４１は、この時点で入力されている各設定項目の値に従って、画像形成部１２等にコピー動作を行わせる（Ｓ２１５）。
【００７２】
次に、画像形成装置１０がリセット動作される際の処理を説明する。図１５は、画像形成装置１０がリセット動作される際の処理を示すフローチャートである。この処理は、記憶装置３８内の機能テーブルＢＤＴに、セーブ処理を実行する旨が記憶されていることを条件として、制御部４１により、図１０に示した設定項目の値を設定する処理と並行して行われる。
【００７３】
上記設定項目の値を設定する処理が行われている間、制御部４１は、リセット動作を実行する上記予め定められた条件が満たされたか否かを判断している（Ｓ３０１）。制御部４１は、当該予め定められた条件が満たされたと判断すると（Ｓ３０１でＹＥＳ）、この時点でユーザーにより操作部３４の操作で値が入力された設定項目の数が、記憶装置３８のデータテーブルＣＰＤＴに記憶されている閾値Ｈ以上であるか否かを判定する（Ｓ３０２）。なお、本実施形態では、記憶装置３８内の機能テーブルＢＤＴに、閾値Ｈが「３」として記憶されている
【００７４】
制御部４１は、上記ユーザーにより値が入力された設定項目の数が閾値Ｈ以上であると判断すると（Ｓ３０２でＹＥＳ）、記憶装置３８内の機能テーブルＢＤＴを参照し、機能テーブルＢＤＴに、セーブ処理を実行する旨又はセーブ処理を実行しない旨のいずれが記憶されているかを判断する（Ｓ３０３）。
【００７５】
制御部４１は、セーブ処理を実行する旨が記憶されていると判断した場合は（Ｓ３０３で「セーブ処理あり」）、この時点でＲＡＭ４４に保存されている全ての設定項目の値を記憶装置３８に書き写してセーブする（Ｓ３０４）。このセーブ処理後、制御部４１は、画像形成装置１０にリセット動作を行わせ、ＲＡＭ４４を初期化する（Ｓ３０５）。
【００７６】
一方、制御部４１は、セーブ処理を実行しない旨が記憶されていると判断した場合（Ｓ３０３で「セーブ処理なし」）、ＲＡＭ４４に保存されている各設定項目の値を記憶装置３８に書き写すセーブ処理を行うことなく、リセット動作を行わせ、ＲＡＭ４４を初期化する（Ｓ３０５）。
【００７７】
また、制御部４１は、Ｓ３０２において、この時点でユーザーにより値が入力された設定項目の数が上記閾値Ｈ未満であると判定すると（Ｓ３０２でＮＯ）、上記セーブ処理を行うことなく、リセット動作を行わせ、ＲＡＭ４４を初期化する（Ｓ３０５）。
【００７８】
なお、このようにユーザーにより値が入力された設定項目の数が閾値Ｈ未満の場合、制御部４１は、画像形成装置１０にリセット動作を実行させる前に、図１６に例を示すような、設定項目の値をセーブするか否かの選択をユーザーに促すポップアップ画面Ｐ５を表示部３２に表示させ、ユーザーからのセーブ指示に応じて、この時点でＲＡＭ４４に保存されている全ての設定項目の値を記憶装置３８に書き写してセーブさせてから、リセット動作を行わせるようにしてもよい。
【００７９】
上記に示したセーブ処理により、本実施形態では、リセット動作の実行に伴い、ＲＡＭ４４に保存されている各設定項目の値が消去されたとしても、当該各設定項目の値は記憶装置３８にセーブされているので、次回の設定項目入力時には、前回の入力操作終了時にＲＡＭ４４に記憶されていた各設定項目の値をＲＡＭ４４に復旧することが可能になるので、ユーザーは、次回の入力操作時には、各設定項目の値入力を、リセット動作直前の状態から続けて開始することができる。
【００８０】
尚、上記実施形態では、操作部３４及びタッチパネル３５が操作されていない待機時間を一定とし、操作が一定の待機時間行われなかったときに、制御部４１がリセット動作を実行しているが、ユーザーによる操作部３４又はタッチパネル３５の操作に基づいて入力される上記待機時間の変更指示に従って、制御部４１が上記待機時間を変更するようにしてもよい。
【００８１】
この場合、制御部４１は、上記設定された待機時間の長短に応じて予め定められた閾値Ｈを設定する。待機時間の長短に応じて異ならせた閾値Ｈが、記憶装置３８に予め記憶されている。ここでは、閾値Ｈは、上記待機時間が長いほど大きな値に設定されている。これにより、待機時間が長く、操作部３４の操作により多くの設定項目の値が可能な状況であるにも拘わらず、少数の設定項目しか入力されず、動作実行の指示も入力されない場合には、ユーザーが当該入力した設定項目の値を用いて動作を実行させる可能性が低いとみなして、次回の入力操作時には、入力された各設定項目の値を用いず、当該ユーザーに対して、動作に用いるべき新たな設定項目の値を改めて入力させることができる。
【００８２】
また、図１乃至図１６を用いて説明した上記実施形態の構成及び処理は、本発明の一例に過ぎず、本発明を当該構成及び処理に限定する趣旨ではない。
【符号の説明】
【００８３】
１０  画像形成装置
３２  表示部
３４  操作部
３５  タッチパネル
３８  記憶装置
４１  制御部
４４  ＲＡＭ
【図１】
2018144446.tif 000003
【図２】
2018144446.tif 000004
【図３】
2018144446.tif 000005
【図４】
2018144446.tif 000006
【図５】
2018144446.tif 000007
【図６】
2018144446.tif 000008
【図７】
2018144446.tif 000009
【図８】
2018144446.tif 000010
【図９】
2018144446.tif 000011
【図１０】
2018144446.tif 000012
【図１１】
2018144446.tif 000013
【図１２】
2018144446.tif 000014
【図１３】
2018144446.tif 000015
【図１４】
2018144446.tif 000016
【図１５】
2018144446.tif 000017
【図１６】
2018144446.tif 000018